(57)【要約】【課題】  インターネットから移動通信網へのダウンロード方法及びシステムを提供する。【解決手段】  インターネットを介して提供されるマルチメディアを使用者端末機にダウンロードするコンテンツダウンロード方法とこれを遂行するためのシステムにおいて、インターネットを介して提供されるマルチメディアコンテンツの著作権を能動的に保護し、そのマルチメディアコンテンツの無断ダウンロードを防止する。サーバーから所定コンテンツの使用権利を受信する段階と、前記使用権利を用いて前記サーバーに接続し、前記使用権利を用いて前記コンテンツを要請する段階と、前記サーバーから前記要請されたコンテンツを受信する段階とを備えることを特徴とする、使用者端末機のコンテンツダウンロード方法。【選択図】図３
2006012167.tif 000002
【特許請求の範囲】
【請求項１】
サーバーから所定コンテンツの使用権利を受信する段階と、
前記使用権利を用いて前記サーバーに接続し、前記使用権利を用いて前記コンテンツを要請する段階と、
前記サーバーから前記要請されたコンテンツを受信する段階と、
を備えることを特徴とする、使用者端末機のコンテンツダウンロード方法。
【請求項２】
前記使用者端末機が、前記コンテンツの使用権利を格納する段階をさらに備えることを特徴とする請求項１に記載の、使用者端末機のコンテンツダウンロード方法。
【請求項３】
前記サーバーが、コンテンツ使用権利提供サーバーから前記使用権利に含まれる少なくとも一つの情報を受信して前記使用権利を生成し、該生成された使用権利を前記使用者端末機に提供することを特徴とする請求項１に記載の、使用者端末機のコンテンツダウンロード方法。
【請求項４】
前記サーバーが、前記使用権利に対する有効性を判断し、前記使用権利が有効である場合に前記コンテンツを提供することを特徴とする請求項１に記載の、使用者端末機のコンテンツダウンロード方法。
【請求項５】
前記サーバーが、自分の保有した使用権利と前記使用権利とを比較し、この両使用権利が一致する場合に、前記使用者端末機から受信した使用権利を有効であると判断することを特徴とする請求項４に記載の、使用者端末機のコンテンツダウンロード方法。
【請求項６】
前記サーバーは、前記有効性の判断時に、前記両使用権利のコンテンツタイトル、使用期限、著作権者、著作権者の秘密キー及び著作権者の署名のうち少なくとも一つを比較することを特徴とする請求項４に記載の、使用者端末機のコンテンツダウンロード方法。
【請求項７】
前記使用権利が有効である場合に、前記サーバーが、前記使用者端末機が要請したコンテンツの実行のための実行キーをダウンロードすることを特徴とする請求項４に記載の、使用者端末機のコンテンツダウンロード方法。
【請求項８】
前記実行キーは、前記使用権利に含まれる所定キーで復号されることを特徴とする請求項７に記載の、使用者端末機のコンテンツダウンロード方法。
【請求項９】
前記使用権利は、前記コンテンツのタイトル、使用期限、著作権者、著作権者の秘密キー及び著作権者の署名のうち少なくとも一つを含むことを特徴とする請求項１に記載の、使用者端末機のコンテンツのダウンロード方法。
【請求項１０】
前記コンテンツを要請する時に、前記使用者端末機に与えられた固有の識別情報を前記サーバーに提供することを特徴とする請求項１に記載の、使用者端末機のコンテンツダウンロード方法。
【請求項１１】
所定コンテンツ及びその使用権利を提供するサーバーと、
前記サーバーから前記コンテンツの使用権利を受信し、該受信された使用権利を用いて前記サーバーに前記コンテンツのダウンロードを要請し、前記受信された使用権利を格納した後に、前記サーバーが提供する前記コンテンツを格納する使用者端末機と、
を備えることを特徴とするコンテンツダウンロードシステム。
【請求項１２】
前記使用者端末機は、前記コンテンツ及び前記使用権利を格納するための着脱式チップメモリを備えることを特徴とする請求項１１に記載のコンテンツダウンロードシステム。
【請求項１３】
前記使用権利は、前記コンテンツタイトル、使用期限、著作権者、著作権者の秘密キー及び著作権者の署名のうち少なくとも一つを含むことを特徴とする請求項１１に記載のコンテンツのダウンロードシステム。
【請求項１４】
前記使用権利に含まれる少なくとも一つの情報を前記サーバーに提供するコンテンツ使用権利提供サーバーをさらに備えることを特徴とする請求項１１に記載のコンテンツダウンロードシステム。
【請求項１５】
前記サーバーは、前記コンテンツ使用権利提供サーバーから提供された前記情報を用いて前記使用権利を生成することを特徴とする請求項１４に記載のコンテンツダウンロードシステム。
【請求項１６】
前記サーバーは、
前記コンテンツ及び前記使用権利を格納し、前記コンテンツ及び前記使用権利を定期的にアップデートするデータベースと、
前記データベースに格納された前記使用権利を、前記使用者端末機が前記コンテンツのダウンロードを要請する時に使用した使用権利と比較し、前記使用者端末機が使用した使用権利の有効性を判断する認証エンジンと、
前記認証エンジンの有効性判断結果に基づき、前記コンテンツを前記使用者端末機にダウンロードするコンテンツダウンロードエンジンと、
を備えることを特徴とする請求項１１に記載のコンテンツダウンロードシステム。
【請求項１７】
前記サーバーは、前記コンテンツの実行のための実行キーを生成してダウンロードするエンジンをさらに備えることを特徴とする請求項１６に記載のコンテンツダウンロードシステム。
【請求項１８】
使用者端末機への所定コンテンツのダウンロード方法において、
サーバー側が使用者端末機に特定コンテンツの使用権利をダウンロードする段階と、
前記サーバー側が前記使用権利に対する認証を実施し、その認証結果を前記使用者端末機にダウンロードする段階と、
前記サーバー側または任意のサーバーが、前記使用者端末機が接続時に提供した前記認証結果を確認した後に、前記コンテンツをダウンロードする段階と、
を備えることを特徴とするコンテンツダウンロード方法。
【請求項１９】
前記使用権利が有効である場合に、前記認証結果は認証成功メッセージであることを特徴とする請求項１８に記載のコンテンツダウンロード方法。
【請求項２０】
前記使用者端末機から前記認証成功メッセージが提供されると、該使用者端末機に前記コンテンツ及び前記コンテンツを実行させるための実行キーをダウンロードすることを特徴とする請求項１９に記載のコンテンツダウンロード方法。
【請求項２１】
前記認証成功メッセージは、あらかじめ定められた有効期間の間に使用可能であることを特徴とする請求項１９に記載のコンテンツダウンロード方法。
【請求項２２】
前記使用権利が無効である場合に、前記使用者端末機に認証失敗を通報することを特徴とする請求項１８に記載のコンテンツダウンロード方法。
【請求項２３】
前記使用権利が無効である場合に、前記使用者端末機に前記使用権利のアップデートが必要であることをさらに通報することを特徴とする請求項２２に記載のコンテンツダウンロード方法。
【請求項２４】
前記使用権利は、コンテンツタイトル、使用期限、著作権者、著作権者の秘密キー及び著作権者の署名のうち少なくとも一つを含むことを特徴とする請求項１８に記載のコンテンツのダウンロード方法。
【請求項２５】
前記使用者端末機が前記認証結果を格納する段階をさらに備えることを特徴とする請求項１８に記載のコンテンツダウンロード方法。
【請求項２６】
前記使用権利は、使用期限があらかじめ定められたものであることを特徴とする請求項１８に記載のコンテンツダウンロード方法。
【請求項２７】
第１サーバーから所定コンテンツの使用権利を受信する段階と、
前記使用権利を用いて任意の第２サーバーに接続して前記コンテンツを要請する段階と、
前記第２サーバーから前記コンテンツを受信する段階と、
を備えることを特徴とする、使用者端末機のコンテンツダウンロード方法。
【請求項２８】
前記使用者端末機が、前記コンテンツの使用権利を格納する段階をさらに備えることを特徴とする請求項２７に記載の、使用者端末機のコンテンツダウンロード方法。
【請求項２９】
前記第１サーバーが、コンテンツ使用権利提供サーバーから前記使用権利に含まれる少なくとも一つの情報を受信して前記使用権利を生成し、該生成された使用権利を前記使用者端末機に提供することを特徴とする請求項２７に記載の、使用者端末機のコンテンツダウンロード方法。
【請求項３０】
前記第２サーバーが前記使用権利に対する有効性を判断し、前記使用権利が有効である場合に前記コンテンツを提供することを特徴とする請求項２７に記載の、使用者端末機のコンテンツダウンロード方法。
【請求項３１】
前記第２サーバーが、自分の保有した使用権利と前記使用権利とを比較し、これら両使用権利が一致する場合に、前記使用者端末機から受信した使用権利を有効であると判断することを特徴とする請求項３０に記載の、使用者端末機のコンテンツダウンロード方法。
【請求項３２】
前記第２サーバーは、前記有効性の判断時に、前記両使用権利のコンテンツタイトル、使用期限、著作権者、著作権者の秘密キー及び著作権者の署名のうち少なくとも一つを比較することを特徴とする請求項３０に記載の、使用者端末機のコンテンツダウンロード方法。
【請求項３３】
前記使用権利が有効である場合に、前記第２サーバーが、前記使用者端末機が要請したコンテンツの実行のための実行キーをダウンロードすることを特徴とする請求項３０に記載の使用者端末機のコンテンツダウンロード方法。
【請求項３４】
前記実行キーは、前記使用権利に含まれる所定キーで復号されることを特徴とする請求項３３に記載の、使用者端末機のコンテンツダウンロード方法。
【請求項３５】
前記使用権利は、前記コンテンツのタイトル、使用期限、著作権者、著作権者の秘密キー及び著作権者の署名のうち少なくとも一つを含むことを特徴とする請求項２７に記載の、使用者端末機のコンテンツのダウンロード方法。
【請求項３６】
前記コンテンツを要請する時に、前記使用者端末機に与えられた固有の識別情報を前記第２サーバーに提供することを特徴とする請求項２７に記載の使用者端末機のコンテンツダウンロード方法。
【請求項３７】
所定コンテンツの使用権利を提供する第１サーバーと、
前記コンテンツを提供する第２サーバーと、
前記第１サーバーから前記使用権利を受信し、該受信された使用権利を用いて前記第２サーバーに前記コンテンツのダウンロードを要請し、前記第１サーバーが提供する前記使用権利を格納した後に、前記第２サーバーが提供する前記コンテンツを格納する使用者端末機と、
を備えてなることを特徴とするコンテンツダウンロードシステム。
【請求項３８】
前記使用者端末機は、前記コンテンツ及び前記使用権利を格納するための着脱式チップメモリを備えることを特徴とする請求項３７に記載のコンテンツダウンロードシステム。
【請求項３９】
前記使用権利は、前記コンテンツタイトル、使用期限、著作権者、著作権者の秘密キー及び著作権者の署名のうち少なくとも一つを含むことを特徴とする請求項３７に記載のコンテンツのダウンロードシステム。
【請求項４０】
前記第１サーバーは、
前記コンテンツの使用権利を格納し、前記コンテンツの使用権利を定期的にアップデートするデータベースと、
前記データベースに格納された使用権利を前記使用者端末機にダウンロードするコンテンツダウンロードエンジンと、
を備えることを特徴とする請求項３７に記載のコンテンツダウンロードシステム。
【請求項４１】
前記第２サーバーは、
前記コンテンツを格納するデータベースと、
前記コンテンツのダウンロードを要請する時に、前記使用者端末機が使用した使用権利の有効性を判断する認証エンジンと、
前記認証エンジンの有効性判断結果に基づき、前記データベースに格納されたコンテンツを前記使用者端末機にダウンロードするコンテンツダウンロードエンジンと、
を備えることを特徴とする請求項３７に記載のコンテンツダウンロードシステム。
【請求項４２】
前記第２サーバーは、前記コンテンツの実行のための実行キーを生成してダウンロードするエンジンをさらに備えることを特徴とする請求項４１に記載のコンテンツダウンロードシステム。
【発明の詳細な説明】
【技術分野】
【０００１】
本発明は、インターネットから移動通信網へのダウンロード方法及びそのシステムに係り、特に、インターネットを介して提供されるマルチメディアコンテンツを使用者端末機にダウンロードするコンテンツダウンロード方法及びこれを行うためのシステムに関する。
【背景技術】
【０００２】
近来、移動通信端末機などのような使用者端末機の機能は多様化しつつある。すなわち、移動通信端末機は、音声通信はもとより、データ通信機能を有し、特に無線インターネットを介して特定サーバーから多様なマルチメディアコンテンツを受信する機能を有している。
【０００３】
このような移動通信端末機機能の多様化に伴い、現在インターネット事業者は無線インターネットを介した多様なマルチメディアコンテンツのダウンロードサービスを提供している。
【０００４】
一方、マルチメディアコンテンツは、音楽ファイルまたは動映像ファイルなどの形態を有する。音楽ファイルとしてはｍｐ３、ｗａｖ、ｍｉｄｉファイルが代表的であり、動映像ファイルとしてはＭＰＥＧ２やＭＰＥＧ４が代表的である。
【０００５】
図１は、一般のコンテンツダウンロード手順を示すダイヤグラムであり、その手順は下記の通りである。
【０００６】
まず、使用者端末機１は、コンテンツサーバー２に接続して自分のの認証情報をコンテンツサーバー２に提供する。ここで、認証情報には、使用者固有識別子（ｉｄｅｎｔｉｆｉｅｒ；以下、‘ＩＤ’と略す。）とパスワード（Ｐａｓｓｗｏｒｄ）を使用するのが一般的である。
【０００７】
コンテンツサーバー２は、使用者端末機１から提供された認証情報を用いて認証を実施する。
【０００８】
このとき、もし認証に失敗すると、コンテンツサーバー２は、認証失敗を使用者端末機１に知らせ、同時に認証情報の再転送を使用者端末機１に要請する。
【０００９】
一方、認証に成功した場合には、コンテンツサーバー２は、認証成功を使用者端末機１に知らせ、その後に、使用者端末機１から所定のコンテンツ要請があると、該当のコンテンツを使用者端末機１にダウンロードする。
【発明の開示】
【発明が解決しようとする課題】
【００１０】
しかしながら、このようなコンテンツのダウンロードサービスを提供するにおいて最近問題とされているのが、コンテンツの使用権利（ｒｉｇｈｔｓ）である。特に、音楽、映像などのようなマルチメディアコンテンツではその問題が一層大きくなっている。
【００１１】
すなわち、各種インターネット事業者や個人ホームページ運営者はサーバーに無断でマルチメディアコンテンツを載せており、コンテンツ使用権利を侵害する場合が多い。たとえマルチメディアコンテンツ使用権利が与えられたとしても、インターネット事業者は許されたコンテンツ使用期間だけサーバーに載せておかなければならないが、これもよく守られていないのが現状である。
【００１２】
本発明は上記の目的を達成するためのもので、その目的、インターネットを介して提供されるマルチメディアコンテンツの使用権利を能動的に保護しうるマルチメディアコンテンツダウンロード方法及びそのシステムを提供することにある。
【００１３】
本発明のさらに他の目的は、インターネットを介したマルチメディアコンテンツの無断ダウンロードを防止しうるダウンロード方法及びこれを行うためのシステムを提供することにある。
【課題を解決するための手段】
【００１４】
上記目的を達成するために、本発明に係る使用者端末機のコンテンツダウンロード方法は、サーバーから所定コンテンツの使用権利を受信する段階と、前記使用権利を用いて前記サーバーに接続し、前記使用権利を用いて前記コンテンツを要請する段階と、前記サーバーから前記要請されたコンテンツを受信する段階と、を備えることを特徴とする。
【００１５】
上記目的を達成するために、本発明に係る使用者端末機のコンテンツダウンロード方法は、インターネットから使用者端末機への所定コンテンツのダウンロード方法において、サーバー側が使用者移動端末機に特定コンテンツの使用権利著作権者電子署名をダウンロードする段階と、前記サーバー側が前記使用権利著作権者電子署名に対する認証を実施し、その認証結果を前記使用者移動端末機にダウンロードする段階と、前記サーバー側または任意のサーバーが、前記使用者移動端末機が接続時に提供した前記認証結果を確認した後に、前記移動端末機に前記コンテンツをダウンロードする段階と、を備えることを特徴とする。
【００１６】
上記目的を達成するために、本発明に係る使用者端末機のコンテンツダウンロード方法は、第１サーバーから所定コンテンツの使用権利を受信する段階と、前記使用権利を用いて任意の第２サーバーに接続して前記コンテンツを要請する段階と、前記第２サーバーから前記コンテンツを受信する段階と、を備えることを特徴とする。
【００１７】
上記目的を達成するために、本発明に係るコンテンツダウンロードシステムは、所定コンテンツとその使用権利を提供するサーバーと、前記サーバーから前記コンテンツの使用権利を受信し、該受信した使用権利を用いて前記サーバーに前記コンテンツのダウンロードを要請し、前記受信した使用権利を格納した後に、前記サーバーが提供する前記コンテンツを格納する使用者端末機と、を備えてなることを特徴とする。
【００１８】
上記目的を達成するために、本発明に係るコンテンツダウンロードシステムは、所定コンテンツの使用権利を提供する第１サーバーと、前記コンテンツを提供する第２サーバーと、前記第１サーバーから前記使用権利を受信し、該受信した使用権利を用いて前記第２サーバーに前記コンテンツのダウンロードを要請し、前記第１サーバーが提供する前記使用権利を格納した後に、前記第２サーバーが提供する前記コンテンツを格納する使用者端末機と、を備えてなることを特徴とする。
【００１９】
上記目的を達成するために、本発明は、例えば、以下の手段を提供する。
（項目１）
サーバーから所定コンテンツの使用権利を受信する段階と、
前記使用権利を用いて前記サーバーに接続し、前記使用権利を用いて前記コンテンツを要請する段階と、
前記サーバーから前記要請されたコンテンツを受信する段階と、
を備えることを特徴とする、使用者端末機のコンテンツダウンロード方法。
（項目２）
前記使用者端末機が、前記コンテンツの使用権利を格納する段階をさらに備えることを特徴とする項目１に記載の、使用者端末機のコンテンツダウンロード方法。
（項目３）
前記サーバーが、コンテンツ使用権利提供サーバーから前記使用権利に含まれる少なくとも一つの情報を受信して前記使用権利を生成し、該生成された使用権利を前記使用者端末機に提供することを特徴とする項目１に記載の、使用者端末機のコンテンツダウンロード方法。
（項目４）
前記サーバーが、前記使用権利に対する有効性を判断し、前記使用権利が有効である場合に前記コンテンツを提供することを特徴とする項目１に記載の、使用者端末機のコンテンツダウンロード方法。
（項目５）
前記サーバーが、自分の保有した使用権利と前記使用権利とを比較し、この両使用権利が一致する場合に、前記使用者端末機から受信した使用権利を有効であると判断することを特徴とする項目４に記載の、使用者端末機のコンテンツダウンロード方法。
（項目６）
前記サーバーは、前記有効性の判断時に、前記両使用権利のコンテンツタイトル、使用期限、著作権者、著作権者の秘密キー及び著作権者の署名のうち少なくとも一つを比較することを特徴とする項目４に記載の、使用者端末機のコンテンツダウンロード方法。
（項目７）
前記使用権利が有効である場合に、前記サーバーが、前記使用者端末機が要請したコンテンツの実行のための実行キーをダウンロードすることを特徴とする項目４に記載の、使用者端末機のコンテンツダウンロード方法。
（項目８）
前記実行キーは、前記使用権利に含まれる所定キーで復号されることを特徴とする項目７に記載の、使用者端末機のコンテンツダウンロード方法。
（項目９）
前記使用権利は、前記コンテンツのタイトル、使用期限、著作権者、著作権者の秘密キー及び著作権者の署名のうち少なくとも一つを含むことを特徴とする項目１に記載の、使用者端末機のコンテンツのダウンロード方法。
（項目１０）
前記コンテンツを要請する時に、前記使用者端末機に与えられた固有の識別情報を前記サーバーに提供することを特徴とする項目１に記載の、使用者端末機のコンテンツダウンロード方法。
（項目１１）
所定コンテンツ及びその使用権利を提供するサーバーと、
前記サーバーから前記コンテンツの使用権利を受信し、該受信された使用権利を用いて前記サーバーに前記コンテンツのダウンロードを要請し、前記受信された使用権利を格納した後に、前記サーバーが提供する前記コンテンツを格納する使用者端末機と、
を備えることを特徴とするコンテンツダウンロードシステム。
（項目１２）
前記使用者端末機は、前記コンテンツ及び前記使用権利を格納するための着脱式チップメモリを備えることを特徴とする項目１１に記載のコンテンツダウンロードシステム。
（項目１３）
前記使用権利は、前記コンテンツタイトル、使用期限、著作権者、著作権者の秘密キー及び著作権者の署名のうち少なくとも一つを含むことを特徴とする項目１１に記載のコンテンツのダウンロードシステム。
（項目１４）
前記使用権利に含まれる少なくとも一つの情報を前記サーバーに提供するコンテンツ使用権利提供サーバーをさらに備えることを特徴とする項目１１に記載のコンテンツダウンロードシステム。
（項目１５）
前記サーバーは、前記コンテンツ使用権利提供サーバーから提供された前記情報を用いて前記使用権利を生成することを特徴とする項目１４に記載のコンテンツダウンロードシステム。
（項目１６）
前記サーバーは、
前記コンテンツ及び前記使用権利を格納し、前記コンテンツ及び前記使用権利を定期的にアップデートするデータベースと、
前記データベースに格納された前記使用権利を、前記使用者端末機が前記コンテンツのダウンロードを要請する時に使用した使用権利と比較し、前記使用者端末機が使用した使用権利の有効性を判断する認証エンジンと、
前記認証エンジンの有効性判断結果に基づき、前記コンテンツを前記使用者端末機にダウンロードするコンテンツダウンロードエンジンと、
を備えることを特徴とする項目１１に記載のコンテンツダウンロードシステム。
（項目１７）
前記サーバーは、前記コンテンツの実行のための実行キーを生成してダウンロードするエンジンをさらに備えることを特徴とする項目１６に記載のコンテンツダウンロードシステム。
（項目１８）
使用者端末機への所定コンテンツのダウンロード方法において、
サーバー側が使用者端末機に特定コンテンツの使用権利をダウンロードする段階と、
前記サーバー側が前記使用権利に対する認証を実施し、その認証結果を前記使用者端末機にダウンロードする段階と、
前記サーバー側または任意のサーバーが、前記使用者端末機が接続時に提供した前記認証結果を確認した後に、前記コンテンツをダウンロードする段階と、
を備えることを特徴とするコンテンツダウンロード方法。
（項目１９）
前記使用権利が有効である場合に、前記認証結果は認証成功メッセージであることを特徴とする項目１８に記載のコンテンツダウンロード方法。
（項目２０）
前記使用者端末機から前記認証成功メッセージが提供されると、該使用者端末機に前記コンテンツ及び前記コンテンツを実行させるための実行キーをダウンロードすることを特徴とする項目１９に記載のコンテンツダウンロード方法。
（項目２１）
前記認証成功メッセージは、あらかじめ定められた有効期間の間に使用可能であることを特徴とする項目１９に記載のコンテンツダウンロード方法。
（項目２２）
前記使用権利が無効である場合に、前記使用者端末機に認証失敗を通報することを特徴とする項目１８に記載のコンテンツダウンロード方法。
（項目２３）
前記使用権利が無効である場合に、前記使用者端末機に前記使用権利のアップデートが必要であることをさらに通報することを特徴とする項目２２に記載のコンテンツダウンロード方法。
（項目２４）
前記使用権利は、コンテンツタイトル、使用期限、著作権者、著作権者の秘密キー及び著作権者の署名のうち少なくとも一つを含むことを特徴とする項目１８に記載のコンテンツのダウンロード方法。
（項目２５）
前記使用者端末機が前記認証結果を格納する段階をさらに備えることを特徴とする項目１８に記載のコンテンツダウンロード方法。
（項目２６）
前記使用権利は、使用期限があらかじめ定められたものであることを特徴とする項目１８に記載のコンテンツダウンロード方法。
（項目２７）
第１サーバーから所定コンテンツの使用権利を受信する段階と、
前記使用権利を用いて任意の第２サーバーに接続して前記コンテンツを要請する段階と、
前記第２サーバーから前記コンテンツを受信する段階と、
を備えることを特徴とする、使用者端末機のコンテンツダウンロード方法。
（項目２８）
前記使用者端末機が、前記コンテンツの使用権利を格納する段階をさらに備えることを特徴とする項目２７に記載の、使用者端末機のコンテンツダウンロード方法。
（項目２９）
前記第１サーバーが、コンテンツ使用権利提供サーバーから前記使用権利に含まれる少なくとも一つの情報を受信して前記使用権利を生成し、該生成された使用権利を前記使用者端末機に提供することを特徴とする項目２７に記載の、使用者端末機のコンテンツダウンロード方法。
（項目３０）
前記第２サーバーが前記使用権利に対する有効性を判断し、前記使用権利が有効である場合に前記コンテンツを提供することを特徴とする項目２７に記載の、使用者端末機のコンテンツダウンロード方法。
（項目３１）
前記第２サーバーが、自分の保有した使用権利と前記使用権利とを比較し、これら両使用権利が一致する場合に、前記使用者端末機から受信した使用権利を有効であると判断することを特徴とする項目３０に記載の、使用者端末機のコンテンツダウンロード方法。
（項目３２）
前記第２サーバーは、前記有効性の判断時に、前記両使用権利のコンテンツタイトル、使用期限、著作権者、著作権者の秘密キー及び著作権者の署名のうち少なくとも一つを比較することを特徴とする項目３０に記載の、使用者端末機のコンテンツダウンロード方法。
（項目３３）
前記使用権利が有効である場合に、前記第２サーバーが、前記使用者端末機が要請したコンテンツの実行のための実行キーをダウンロードすることを特徴とする項目３０に記載の使用者端末機のコンテンツダウンロード方法。
（項目３４）
前記実行キーは、前記使用権利に含まれる所定キーで復号されることを特徴とする項目３３に記載の、使用者端末機のコンテンツダウンロード方法。
（項目３５）
前記使用権利は、前記コンテンツのタイトル、使用期限、著作権者、著作権者の秘密キー及び著作権者の署名のうち少なくとも一つを含むことを特徴とする項目２７に記載の、使用者端末機のコンテンツのダウンロード方法。
（項目３６）
前記コンテンツを要請する時に、前記使用者端末機に与えられた固有の識別情報を前記第２サーバーに提供することを特徴とする項目２７に記載の使用者端末機のコンテンツダウンロード方法。
（項目３７）
所定コンテンツの使用権利を提供する第１サーバーと、
前記コンテンツを提供する第２サーバーと、
前記第１サーバーから前記使用権利を受信し、該受信された使用権利を用いて前記第２サーバーに前記コンテンツのダウンロードを要請し、前記第１サーバーが提供する前記使用権利を格納した後に、前記第２サーバーが提供する前記コンテンツを格納する使用者端末機と、
を備えてなることを特徴とするコンテンツダウンロードシステム。
（項目３８）
前記使用者端末機は、前記コンテンツ及び前記使用権利を格納するための着脱式チップメモリを備えることを特徴とする項目３７に記載のコンテンツダウンロードシステム。
（項目３９）
前記使用権利は、前記コンテンツタイトル、使用期限、著作権者、著作権者の秘密キー及び著作権者の署名のうち少なくとも一つを含むことを特徴とする項目３７に記載のコンテンツのダウンロードシステム。
（項目４０）
前記第１サーバーは、
前記コンテンツの使用権利を格納し、前記コンテンツの使用権利を定期的にアップデートするデータベースと、
前記データベースに格納された使用権利を前記使用者端末機にダウンロードするコンテンツダウンロードエンジンと、
を備えることを特徴とする項目３７に記載のコンテンツダウンロードシステム。
（項目４１）
前記第２サーバーは、
前記コンテンツを格納するデータベースと、
前記コンテンツのダウンロードを要請する時に、前記使用者端末機が使用した使用権利の有効性を判断する認証エンジンと、
前記認証エンジンの有効性判断結果に基づき、前記データベースに格納されたコンテンツを前記使用者端末機にダウンロードするコンテンツダウンロードエンジンと、
を備えることを特徴とする項目３７に記載のコンテンツダウンロードシステム。
（項目４２）
前記第２サーバーは、前記コンテンツの実行のための実行キーを生成してダウンロードするエンジンをさらに備えることを特徴とする項目４１に記載のコンテンツダウンロードシステム。
【発明の効果】
【００２０】
本発明のコンテンツダウンロード方法及びそのシステムによれば、コンテンツ使用権利の侵害を能動的に保護することが可能になる。特に、各種インターネット事業者や個人ホームページ運営者が、音楽、映像などのマルチメディアコンテンツの使用権利を無断で侵害するのを予防する効果が得られる。
【００２１】
また、各種インターネット事業者や個人ホームページ運営者が、マルチメディアコンテンツを許された使用期限だけ事業的に使用者に提供またはダウンロードするようにしたため、著作権者がより容易に自分のコンテンツ使用料を確保することが可能になる。
【発明を実施するための最良の形態】
【００２２】
以下、本発明に係るマルチメディアコンテンツダウンロード方法及びそのステムの好適な実施形態について、添付の図面に基づいて詳細に説明する。図面に基づいて以下に説明される本発明の構成及び作用は、本発明の実施形態を例示するためものもので、これによって本発明の技術的思想及び核心構成並びに作用が制限されるのではない。
【００２３】
図２は、本発明の一実施の形態によるコンテンツダウンロードシステムの構成を示すブロックダイヤグラムである。
【００２４】
同図において、本発明のコンテンツダウンロードシステムは、使用者端末機１０と複数のサーバー２０，３０，４０とから構成される。
【００２５】
このように構成されるコンテンツダウンロードシステムにおいて、第１サーバー２０が所定コンテンツとそのコンテンツの使用権利を使用者端末機１０に提供する第１例を説明し、続いて、第１サーバー２０が所定コンテンツの使用権利を使用者端末機１０に提供し、第２サーバー３０がコンテンツを使用者端末機１０に提供する第２例を説明する。
【００２６】
第１例において第１サーバー２０は、コンテンツを使用者端末機１０に提供し、そのコンテンツの使用権利を使用者端末機１０に提供する。
【００２７】
本発明では、コンテンツ使用権利を第１サーバー２０または第２サーバー３０に提供するコンテンツ使用権利提供サーバー４０を備えることが好ましいが、これに限定されず、第１サーバー２０がコンテンツ使用権利提供サーバー４０の機能を兼ねても良い。
【００２８】
すなわち、本発明では、第１サーバー２０が自体的にコンテンツ使用権利を生成して使用者端末機１０に提供しても良く、第１サーバー２０がコンテンツ使用権利提供サーバー４０からコンテンツ使用権利を受け、それを使用者端末機１０に提供しても良い。以下ではコンテンツ使用権利提供サーバー４０を別途構成した場合を例に挙げて説明する。
【００２９】
第１例において第１サーバー２０は、受信エンジン、データベース、認証エンジン及びコンテンツダウンロードエンジンを備える。
【００３０】
受信エンジンは、コンテンツ使用権利提供サーバー４０から所定コンテンツの使用権利を受信する。
【００３１】
データベースは、コンテンツを格納し、かつ、受信エンジンを介して受信されたコンテンツの使用権利を格納する。また、データベースは、格納されたコンテンツ及び／またはそのコンテンツの使用権利を定期的にアップデートする。すなわち、コンテンツ使用権利提供サーバー４０から以前に提供されたコンテンツの使用権利を、最新バージョンにアップデートする。
【００３２】
認証エンジンは、使用者端末機１０のコンテンツ使用権利に対する有効性を判断する。すなわち、使用者端末機１０が、第１サーバー２０にユーザーが希望するコンテンツを要請するときには、そのコンテンツの使用権利を第１サーバー２０に提供する。認証エンジンは、使用者端末機１０が要請したコンテンツを認識し、また、使用者端末機１０から受信したコンテンツ使用権利に対する有効性を判断する。
【００３３】
仮に、コンテンツ使用権利が有効でなければ、認証エンジンは、使用者端末機１０にコンテンツ使用権利が無効であることを知らせる。そして、使用者端末機１０にコンテンツ使用権利の再転送を要請したりコンテンツ使用権利の更新を勧告したりする。
【００３４】
また、コンテンツダウンロードエンジンは、上記の認証エンジンの有効性判断結果を参照する。仮に、認証エンジンから使用者端末機１０のコンテンツ使用権利が有効であるという結果が報知されると、コンテンツダウンロードエンジンは、使用者端末機１０に要請された該当のコンテンツをダウンロードし、また、使用者端末機１０に所定コンテンツの使用権利をダウンロードする。
【００３５】
本発明において第１サーバー２０は、使用者端末機１０のコンテンツ使用権利が有効である場合に、要請された該当のコンテンツを使用者端末機１０にダウンロードする。
【００３６】
さらに、第１サーバー２０は、ダウンロードしたコンテンツの実行キーを使用者端末機１０にダウンロードすることも可能である。このためには、第１サーバー２０がコンテンツの実行のためのキーを生成してダウンロードするエンジンをさらに備えなければならない。この実行キーは、使用者端末機１０においてコンテンツを実行させる上で必要なキーである。
【００３７】
第２例において第１サーバー２０は、データベースとダウンロードエンジンとを備える。
【００３８】
データベースは、コンテンツの使用権利を格納し、また、格納されたコンテンツの使用権利を定期的にアップデートする。すなわち、コンテンツ使用権利提供サーバー４０から以前に提供されたコンテンツの使用権利を、最新バージョンにアップデートする。
【００３９】
ダウンロードエンジンは、使用者端末機１０から要請がある時に該当のコンテンツ使用権利をダウンロードする。
【００４０】
一方、第１例では第２サーバー３０が如何なる動作もしないが、第２例において第２サーバー３０は、受信エンジン、データベース、認証エンジン及びコンテンツダウンロードエンジンを備える。これについて次に説明する。
【００４１】
受信エンジンは、コンテンツ使用権利提供サーバー４０から所定コンテンツの使用権利を受信する。
【００４２】
データベースは、コンテンツを格納し、また、受信エンジンを介して受信されたコンテンツの使用権利を格納する。また、データベースは、格納されたコンテンツ及び／またはそのコンテンツの使用権利を定期的にアップデートする。すなわち、コンテンツ使用権利提供サーバー４０から以前に提供されたコンテンツの使用権利を、最新バージョンにアップデートする。第２サーバー３０のデータベースに格納される使用権利は、認証用として用いられる。
【００４３】
認証エンジンは、使用者端末機１０のコンテンツ使用権利に対する有効性を判断する。すなわち、使用者端末機１０が、第２サーバー３０にユーザーが希望するコンテンツを要請する時にはそのコンテンツの使用権利を第２サーバー３０に提供する。認証エンジンは、使用者端末機１０が要請したコンテンツを認識し、使用者端末機１０から受信したコンテンツ使用権利の有効性を判断する。
【００４４】
仮に、コンテンツ使用権利が有効でなければ、認証エンジンは、使用者端末機１０にコンテンツ使用権利が無効であることを知らせる。そして、使用者端末機１０にコンテンツ使用権利の再転送を要請したりコンテンツ使用権利の更新を勧告したりする。
【００４５】
コンテンツダウンロードエンジンは、上記の認証エンジンの有効性判断結果を参照する。仮に、認証エンジンから使用者端末機１０のコンテンツ使用権利が有効であるという結果が報知されると、コンテンツダウンロードエンジンは使用者端末機１０に要請された該当のコンテンツをダウンロードする。
【００４６】
本発明において第２サーバー３０は、使用者端末機１０のコンテンツ使用権利が有効である場合に、要請された該当のコンテンツを使用者端末機１０にダウンロードする。
【００４７】
さらに、第２サーバー３０は、ダウンロードしたコンテンツの実行キーを使用者端末機１０にダウンロードすることも可能である。このためには、第２サーバー３０がコンテンツの実行のためのキーを生成してダウンロードするエンジンをさらに備えなければならない。この実行キーは、使用者端末機１０においてコンテンツを実行させる上で必要なキーである。
【００４８】
第１例において使用者端末機１０は、第１サーバー２０にコンテンツ及び／またはコンテンツ使用権利を要請し、第１サーバー２０から提供されるコンテンツ及び／またはコンテンツ使用権利を格納する。特に、使用者端末機１０はダウンロード受けたコンテンツ及び／またはコンテンツ使用権利を格納するための着脱式チップメモリを備える。
【００４９】
第２例において使用者端末機１０は、第１サーバー２０からコンテンツ使用権利を受信し、この受信されたコンテンツ使用権利を用いて第２サーバー３０に該当のコンテンツを要請する。また、使用者端末機１０は、第１サーバー２０から提供されるコンテンツ使用権利と、第２サーバー３０から提供されるコンテンツとを格納する。特に、使用者端末機１０は、ダウンロード受けたコンテンツ及び／またはコンテンツ使用権利を格納するための着脱式チップメモリを備える。上述したコンテンツ使用権利は、コンテンツタイトル、使用期限、著作権者、著作権者の秘密キー及び著作権者の署名のうち少なくとも一つを含む。ここで、秘密キーは、前述した実行キーを暗号化するのに使用されるキーである。
【００５０】
この実行キーを使用する場合に、使用者端末機１０は、コンテンツ使用権利（ｒｉｇｈｔ  ｏｂｊｅｃｔｓ）を受信し、このコンテンツ使用権利から秘密キーを抽出する。続いて、抽出した秘密キーで上述した実行キーを復号し、その結果、復号された実行キーによってコンテンツが実行される。
【００５１】
次に、図２に示すコンテンツタウンロードシステムにおいて遂行されるコンテンツダウンロード手順について詳細に説明する。
【００５２】
図３は、本発明の第１実施形態によるコンテンツダウンロード手順を示すダイヤグラムである。
【００５３】
図３を参照すると、使用者は、使用者端末機を介していったんサーバーに接続して所定コンテンツのダウンロードを要請する。
【００５４】
すると、サーバーは、使用者端末機に該当のコンテンツを直ちにダウンロードせずに、そのコンテンツの使用権利を提供する（ステップＳ１）。
【００５５】
この使用権利は、コンテンツタイトル、使用期限、著作権者、著作権者の秘密キー及び著作権者の署名を含む。
【００５６】
特に、サーバーは、上述した情報を含む使用権利を生成して使用者端末機にダウンロードする。
【００５７】
使用者端末機は、ダウンロード受けた使用権利を該当のメモリに格納する（ステップＳ２）。使用者端末機は、通常の内蔵メモリを使用するが、着脱式メモリを備える場合には、この着脱式メモリにダウンロード受けた使用権利を格納することも好ましい。
【００５８】
着脱式メモリを備えた使用者端末機において、使用者はあるコンテンツに対する使用権利を一度だけダウンロードしておけば、使用者端末機が変更されても着脱式メモリに格納された使用権利を継続して使用することができる。
【００５９】
その後、使用者端末機は、あらかじめ格納しておいた使用権利を用いてサーバーに接続し、接続したサーバーに該当のコンテンツのダウンロードを要請する（ステップＳ３）。
【００６０】
このようにコンテンツダウンロード要請があると、サーバーは、まず、使用者端末機から使用権利が提供されたか否かを確認する。仮に、使用者端末機から使用権利が提供されると、提供された使用権利の有効性を判断する（ステップＳ４）。一方、使用者端末機から使用権利が提供されないと確認した場合には、その使用者端末機に、要請された該当のコンテンツの使用権利をダウンロードする。
【００６１】
続いて、サーバーは、使用者端末機から提供された使用権利が有効であれば、要請された該当のコンテンツを使用者端末機にダウンロードする（ステップＳ６）。
【００６２】
一方、サーバーは、使用者端末機から提供された使用権利が無効であれば、使用者端末機に使用権利が現在無効であることを知らせる（ステップＳ５）。
【００６３】
図４は、本発明の第２実施形態によるコンテンツダウンロード手順を示すダイヤグラムである。
【００６４】
図４を参照すると、使用者は、使用者端末機１０を介していったん第１サーバー２０に接続して所定コンテンツ使用権利のダウンロードを要請する。
【００６５】
すると、第１サーバー２０は、使用者端末機１０に該当のコンテンツ使用権利を提供する（ステップＳ１０）。
【００６６】
この使用権利は、コンテンツタイトル、使用期限、著作権者、著作権者の秘密キー及び著作権者の署名を含む。特に、第１サーバー２０は、上述した情報を含む使用権利を生成して使用者端末機１０にダウンロードする。
【００６７】
使用者端末機１０は、ダウンロード受けた使用権利を該当のメモリに格納する（ステップＳ１１）。使用者端末機１０は、通常の内蔵メモリを使用するが、着脱式メモリを備える場合には、この着脱式メモリにダウンロード受けた使用権利を格納することも好ましい。
【００６８】
着脱式メモリを備えた使用者端末機１０では、使用者は、一つのコンテンツに対する使用権利を一度だけダウンロードしておけば、使用者端末機１０が変更されても着脱式メモリに格納された使用権利を継続して使用することができる。
【００６９】
その後、使用者端末機１０は、あらかじめ格納しておいた使用権利を用いて任意の第２サーバー３０に接続し、接続した第２サーバー３０に該当のコンテンツのダウンロードを要請する（ステップＳ１２）。
【００７０】
このようにコンテンツダウンロード要請があると、第２サーバー３０は、要請された該当のコンテンツを使用者端末機１０にダウンロードする（ステップＳ１３）。
【００７１】
図５は、本発明の第３実施形態によるコンテンツダウンロード手順を示すダイヤグラムである。
【００７２】
図５を参照すると、使用者は、使用者端末機１０を介していったん第１サーバー２０に接続して所定コンテンツの使用権利のダウンロードを要請する。
【００７３】
すると、第１サーバー２０は、使用者端末機１０に該当のコンテンツの使用権利を提供する（ステップＳ２０）。
【００７４】
この使用権利は、コンテンツタイトル、使用期限、著作権者、著作権者の秘密キー及び著作権者の署名を含む。特に、第１サーバー２０は、上述した情報を含む使用権利を生成して使用者端末機１０にダウンロードする。
【００７５】
使用者端末機１０は、ダウンロード受けた使用権利を、該当のメモリに格納する（ステップＳ２１）。
【００７６】
その後、使用者端末機１０は、あらかじめ格納しておいた使用権利を用いて任意の第２サーバー３０に接続し、接続した第２サーバー３０に該当のコンテンツのダウンロードを要請する（ステップＳ２２）。
【００７７】
このようにコンテンツダウンロード要請があると、第２サーバー３０は、使用者端末機１０から提供される使用権利に対する有効性を判断する（ステップＳ２３）。
【００７８】
第２サーバー３０は、使用者端末機１０から提供される使用権利が有効であれば、要請された該当のコンテンツを使用者端末機１０にダウンロードする（ステップＳ２５）。
【００７９】
一方、第２サーバー３０は、使用者端末機１０から提供される使用権利が無効であれば、使用者端末機１０に使用権利が現在無効であることを知らせる（ステップＳ２４）。
【００８０】
上述の各実施形態に適用される使用者端末機は、通常の内蔵メモリを使用する。しかし、使用者端末機が着脱式メモリを備える場合には、この着脱式メモリにダウンロード受けた使用権利を格納することも好ましい。これは、着脱式メモリを備えた使用者端末機において、使用者は、あるコンテンツに対する使用権利を一度だけダウンロードしておけば、使用者端末機が変更されても着脱式メモリに格納された使用権利を継続して使用することができるためである。
【００８１】
また、上述の各例においてサーバーが、使用者端末機から提供される使用権利を認証する際には、自分の保有している使用権利と、使用者端末機からコンテンツ要請時に提供される使用権利とを比較する。
【００８２】
すなわち、サーバーは、使用者端末機から受信した使用権利のコンテンツタイトル、使用期限、著作権者、著作権者の秘密キー及び著作権者の署名を、自分の保有している使用権利の情報と比較し、この比較結果に基づいて使用者端末機から提供された使用権利の有効性を判断する。例えば、使用者端末機の使用権利が使用期限を越えたか、著作権者秘密キーが一致するか、著作権者署名が一致するかを確認する。
【００８３】
ここで、サーバーは、使用権利に含まれる各種情報を、コンテンツ使用権利を提供するサーバーからあらかじめ受信して保有している。そして、サーバーは、使用権利に含まれる各種情報を定期的に新規のものにアップデートする。一方、上述した多くの例において、使用者端末機がサーバーにコンテンツまたはコンテンツ使用権利を要請するときには、使用者端末機に与えられた固有の識別情報をサーバーに提供する。ここで、識別情報としては、使用者端末機の加入に当たって与えられた移動電話番号（ＭＩＮ：Ｍｏｂｉｌｅ  Ｉｄｅｎｔｉｆｉｃａｔｉｏｎ  Ｎｕｍｂｅｒ）及び／または移動端末機自体のシリアル番号（ＥＳＮ：Ｅｌｅｃｔｒｏｎｉｃ  Ｓｅｒｉａｌ  Ｎｕｍｂｅｒ）などが挙げられるが、これに限定されるのではない。例えば、次世代移動通信端末機では、移動装置識別子（Ｍｏｂｉｌｅ  Ｅｑｕｉｐｍｅｎｔ  Ｉｄｅｎｔｉｆｉｅｒ：ＭＥＩＤ）や国際移動加入者識別子（Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ）が使用されており、移動端末機に固有に与えられる識別情報が特に限定されるわけではない。
【００８４】
使用者端末機の固有の識別情報を獲得したサーバーは、コンテンツのダウンロードまたはコンテンツ使用権利のダウンロード後に、その使用者端末機の識別情報に基づいて課金を行う。
【００８５】
一方、使用者端末機の使用権利が有効である場合、サーバーが、要請された該当のコンテンツを使用者端末機にダウンロードしながらそのコンテンツの実行キーをダウンロードする構成も可能である。上にも述べたように、実行キーは、使用者端末機においてコンテンツを実行させるのに必要なキーである。このようにダウンロードしたコンテンツ及びその実行キーの両方を受け取り、該当のコンテンツが実行される場合には、次のダウンロード手順に従うことがより好ましい。
【００８６】
すなわち、使用者端末機から特定コンテンツのダウンロード要請があれば、サーバーは、要請されたコンテンツとそのコンテンツの使用権利を使用者端末機にダウンロードする。その後、使用者は、使用者端末機を介してサーバーに接続し、そのサーバーから使用権利に対する認証を受ける。このとき、サーバーは、使用者端末機の使用権利が有効であれば、その使用者端末機に該当のコンテンツの実行キーをダウンロードする。こうすると、使用者端末機は、サーバーからダウンロードしておいたコンテンツを、サーバーからダウンロードした実行キーで実行させる。
【００８７】
次に、本発明の他の実施形態によるコンテンツダウンロード手順について説明する。これは、使用者端末機に所定コンテンツをダウンロードするに当たってコンテンツ使用権利の認証を経てコンテンツの実行を可能にする例である。
【００８８】
使用者は、使用者端末機を介していったんサーバー側に接続して所定コンテンツのダウンロードを要請する。
【００８９】
すると、サーバー側は、使用者端末機に要請された該当のコンテンツとそのコンテンツの使用権利をダウンロードする。ここで、コンテンツ使用権利は、ダウンロードするコンテンツのタイトル、使用期限、著作権者、著作権者の秘密キー及び著作権者の署名を含む。
【００９０】
使用者端末機は、ダウンロード受けたコンテンツとそのコンテンツの使用権利を互いに連係させてメモリに格納する。ここで、使用者端末機は、通常の内蔵メモリを使用するが、着脱式メモリを備える場合には、その着脱式メモリにコンテンツとその使用権利を格納することも好ましい。
【００９１】
その後、使用者は、使用者端末機を介してサーバー側に接続する。サーバー側は、使用者端末機から提供するコンテンツ使用権利の有効性を判断し、該当のコンテンツを実行させるためのキーを含めたメッセージを送信する。
【００９２】
使用者は、使用者端末機を介して接続されたサーバー側に、使用者端末機に格納されたコンテンツ使用権利を提供しながら、その認証を要請する。
【００９３】
すると、サーバー側は、使用者端末機から提供されたコンテンツ使用権利に対する認証を実施し、その認証結果を使用者端末機にダウンロードする。したがって、サーバー側は、上にも述べたように、コンテンツ及びコンテンツ使用権利をダウンロードするエンジン、及び使用者端末機のコンテンツ使用権利を認証するエンジンを含む。
【００９４】
ここで、仮に、使用者端末機から提供されたコンテンツ使用権利が有効であれば、それに対する認証結果は認証成功メッセージである。この認証成功メッセージには、使用有効期間が設定され、したがって、認証成功メッセージはあらかじめ定められた有効期間に限って使用可能である。
【００９５】
一方、使用者端末機から提供されたコンテンツ使用権利が無効であれば、この使用者端末機に認証失敗を報知する。このとき、サーバー側は、使用者端末機にコンテンツ使用権利の再転送を要請したり、コンテンツ使用権利の更新が必要であることを知らせる。すると、使用者は、使用者端末機を介してコンテンツ使用権利をサーバー側に再転送したり、最新バージョンのコンテンツ使用権利を再びダウンロード受ける。
【００９６】
その後、使用者は、使用者端末機を介して再びサーバー側または任意のサーバーに希望のコンテンツのダウンロードを要請する。この時、使用者端末機は、上記のようにしてダウンロードしておいた認証結果をサーバー側または任意のサーバーに提供する。上述したように、使用者は、認証結果のみを持っていれば、当該サーバー側だけでなく、ユーザーが希望しているコンテンツを保有している任意のサーバーからも該当のコンテンツをダウンロード受けることができる。
【００９７】
このように接続された使用者端末機から認証結果を受信すると、サーバー側または任意のサーバーは、その認証結果を確認した後に該当コンテンツを使用者端末機にダウンロードする。すなわち、使用者端末機から認証成功メッセージが提供されると、サーバー側または任意のサーバーは、その使用者端末機に該当のコンテンツをダウンロードする。または、サーバー側または任意のサーバーが、該当のコンテンツと共にそのコンテンツを実行させるための実行キーを使用者端末機にダウンロードする構成も可能である。
【００９８】
一方、使用者端末機は、サーバー側からダウンロードされた認証結果を格納し、また、サーバー側または任意のサーバーからダウンロードしたコンテンツ（及び実行キー）を格納する。
【００９９】
そして、使用者端末機にコンテンツ使用権利を提供するサーバー側は、使用期限があらかじめ定められた該当のコンテンツ使用権利を保有する。また、サーバー側は、保有しているコンテンツ使用権利を随時アップデートする。
【０１００】
以上から説明してきた内容に基づいて本発明の技術的思想を逸脱しない範囲内で様々な変更及び置換が可能であることは、当業者にとっては明らかである。したがって、本発明の技術的範囲は、上記の実施形態に記載された内容によって定められてはいけなく、特許請求の範囲によって定められるべきである。
【０１０１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１０２】
インターネットから移動通信網へのダウンロード方法及びシステムを提供する。
【０１０３】
インターネットを介して提供されるマルチメディアを使用者端末機にダウンロードするコンテンツダウンロード方法とこれを遂行するためのシステムにおいて、インターネットを介して提供されるマルチメディアコンテンツの著作権を能動的に保護し、そのマルチメディアコンテンツの無断ダウンロードを防止する。
【図面の簡単な説明】
【０１０４】
【図１】一般のコンテンツダウンロード手順を示すダイヤグラムである。
【図２】本発明の一実施の形態によるコンテンツダウンロードシステムの構成を示すブロックダイヤグラムである。
【図３】本発明の第１実施形態によるコンテンツダウンロード手順を示すダイヤグラムである。
【図４】本発明の第２実施形態によるコンテンツダウンロード手順を示すダイヤグラムである。
【図５】本発明の第３実施形態によるコンテンツダウンロード手順を示すダイヤグラムである。
【図１】
2006012167.tif 000003
【図２】
2006012167.tif 000004
【図３】
2006012167.tif 000005
【図４】
2006012167.tif 000006
【図５】
2006012167.tif 000007